(57)【要約】【課題】  マスター基地局と、スレーブ基地局からなるグループコントロール無線基地局において、移動局の割当が片寄ると、割当が片寄った側の基地局はチャネル切替が失敗する確率が高く、通話品質維持が困難となる場合が発生する。【解決手段】  各基地局はリソース判定情報テーブルに空きスロット数・各スロット使用or未使用中・周波数キャリア番号・移動局受信レベル状況を格納する。マスター基地局は移動局からのリンクチャネル確立要求メッセージを受信して、スレーブ基地局に新規メッセージのリソース確認要求を送信する。スレーブ基地局は新規メッセージのリソース確認要求を受信し、格納してある情報をマスター基地局あてにリソース確認応答に格納し送信する。マスター基地局は、スレーブ基地局からの新規メッセージのリソース確認応答を受信し、リソース判定処理を実施する。リソース判定処理では、グループコントロール無線基地局の通話基地局に適した無線基地局を選定する。【選択図】  図８
2007020026.tif 000002
【特許請求の範囲】
【請求項１】
制御チャネルを送受信するマスター基地局と、制御チャネルを送受信しないスレーブ基地局とを接続したグループコントロール無線基地局であって、
前記マスター基地局は、移動局からのリンクチャネル確立要求メッセージを受信して、前記マスター基地局と前記スレーブ基地局とのリソース判定を実施し、前記移動局にリンクチャネル割当メッセージを送信することを特徴とするグループコントロール無線基地局。
【請求項２】
請求項１に記載のグループコントロール無線基地局であって、
前記マスター基地局は、前記スレーブ基地局にリソース確認要求メッセージを送信し、
前記リソース確認要求メッセージを受信した前記スレーブ基地局は、前記マスター基地局にリソース確認応答メッセージを送信することを特徴とするグループコントロール無線基地局。
【請求項３】
請求項２に記載のグループコントロール無線基地局であって、
前記リソース確認応答メッセージには、スロットデータ情報と周波数情報とを含むことを特徴とするグループコントロール無線基地局。
【請求項４】
制御チャネルを送受信するマスター基地局と、制御チャネルを送受信しないスレーブ基地局とを接続したグループコントロール無線基地局のチャネル割当方法であって、
前記マスター基地局の第１の最適チャネルを選択するステップと、
前記スレーブ基地局の第２の最適チャネルを選択するステップと、
前記第１の最適チャネルと前記第２の最適チャネルとから最適絶対スロットを決定するステップと、
前記最適絶対スロットが前記マスター基地局と前記スレーブ基地局とに割付可能なとき、前記マスター基地局の第１の空きスロット数と前記スレーブ基地局の第２の空きスロット数との比較を行なうステップとからなるグループコントロール無線基地局のチャネル割当方法。
【請求項５】
請求項４に記載のグループコントロール無線基地局のチャネル割当方法であって、
前記第１の空きスロット数と前記第２の空きスロット数とが等しいとき、前記マスター基地局に通話を割当てるステップをさらに含むグループコントロール無線基地局のチャネル割当方法。
【発明の詳細な説明】
【技術分野】
【０００１】
本発明は、グループコントロール無線基地局およびそのチャネル割当方法係わり、特に一定の通話品質を確保・維持するグループコントロール無線基地局およびそのチャネル割当方法に関する。
【背景技術】
【０００２】
ＴＤＭＡ／ＴＤＤ（Time Division Multiple Access / Time Division Duplex）技術を用いて複数のチャネルを所定のスロットに時分割多重して情報の送受信を行なう無線通信システムとして、社団法人電波産業界の「第二世代コードレス電話システムＲＣＲ  ＳＴＤ−２８」で規定されているパーソナル・ハンディホン・システム（Personal Handyphone System：以下ＰＨＳと称する）がある。ＰＨＳではＴＤＭＡ多重数は４であり、その内１スロットを制御チャネル（Control  Channel：以下、ＣＣＨ）、の送受信に使用し、残りの３スロットを通話チャネル（Traffic  Channel：以下、ＴＣＨ）の送受信に使用する。制御チャネルをＣ、通話チャネルをＴで表した場合、基本的となるＰＨＳのフレーム構成は１Ｃ３Ｔとなる。
【０００３】
ＰＨＳ加入者数増加によるトラフィック増加に対応するには、チャネル数を増加する必要がある。トラフィック増加の対応策として、ＰＨＳ基地局１筺体当りのチャネル数を増やす方法がある。従来のＰＨＳ基地局には上記１Ｃ３Ｔの構成を２つ搭載した、１筺体当り１Ｃ７Ｔのフレーム構成の基地局が存在する。トラフィック状況により更なる通話チャネル増加が要求される地域に対応するためには、１Ｃ１５Ｔのフレーム構成基地局の開発も検討される。しかしながら、１筺体当りの多チャネル化を進めていくと、トラフィックが比較的少ない地域には多チャネル基地局の性能を十分に使用・発揮できない場合があり、顧客の用途に対し運用コストが割高になる場合がある。
【０００４】
トラフィック状況によりフレキシブルに基地局を設置するには、１筺体当り１Ｃ１５Ｔのフレーム構成の基地局を用いるより、１筺体当り１Ｃ７Ｔのフレーム構成の基地局を２台設置する２Ｃ１４Ｔのパフォーマンスをする方が有効である。また、２台の基地局をケーブルで接続し、１筺体当り１Ｃ７Ｔのフレーム構成の基地局では制御チャネルＣを２台で共有する事により、全体として１Ｃ７Ｔ＋８Ｔのパフォーマンスを発揮できるグループコントロール(ＧＣ)という技術を使用する事が、限りある制御チャネルの送信タイミングを利用する為にはより有効である。
【０００５】
２台の基地局の内、制御チャネルを送信する基地局をマスター基地局、他方をスレーブ基地局と呼ぶ。このようなマスター基地局とスレーブ基地局からなるグループコントロール無線基地局では、スレーブ基地局のフレームには、制御チャネルＣを割当てなくてもよいので、割当てることのできる通話チャネルの数を増やすことができる。
【０００６】
特許文献１および特許文献２には複数台の基地局を接続した際の基地局制御方法の記載がある。
【０００７】
【特許文献１】特開２００４−２９７５０５号公報
【特許文献２】特開２００４−３４３５３８号公報
【発明の開示】
【発明が解決しようとする課題】
【０００８】
このグループコントロール無線基地局に対して、移動局が発呼を行なう場合には、マスター基地局は、移動局からのリンクチャネル確立要求メッセージを受信して、マスター基地局またはスレーブ基地局のフレームに通話チャネルＴを割当てる。
【０００９】
グループコントロール無線基地局に於いては、移動局からリンクチャネル確立要求メッセージを受信した際、どちらの基地局のスロットを割当てるかを選択する方法が、ユーザーにより良い通話品質を提供する観点から重要な技術となる。
【００１０】
特許文献１または特許文献２に記載された発明では、通話チャネル割当てが片方の基地局に偏り易く、基地局間をまたぐ通話チャネル(Ｔｃｈ)切替は不可能である。このため、割当が片寄った側の基地局はチャネル切替が失敗する確率が高く、通話品質維持が困難となる場合が発生する。サービス(通話品質維持)提供のためには、初回割当時に呼が最適状態になるよりも、一定の通話品質を確保・維持する技術の方が必要である。
【００１１】
本発明の目的は、マスター基地局と、スレーブ基地局からなるグループコントロール無線基地局において、移動局から発呼したユーザーに、２台の無線基地局の負荷が概ね均等となるように割当てることにより、より良い通話品質を提供できるグループコントロール無線基地局およびそのチャネル割当方法を提供することである。
【課題を解決するための手段】
【００１２】
上記課題を解決するために、グループコントロール無線基地局は、マスター基地局と、ケーブルで接続されたスレーブ基地局からなる無線基地局であって、各基地局はリソース判定情報テーブルに空きスロット数・各スロット使用or未使用中・周波数キャリア番号・移動局受信レベル状況を格納する。マスター基地局は移動局からのリンクチャネル確立要求メッセージを受信して、スレーブ基地局に新規メッセージのリソース確認要求を送信する。スレーブ基地局は新規メッセージのリソース確認要求を受信し、各基地局に格納してある空きスロット数・各スロット使用or未使用中・周波数キャリア番号・移動局受信レベル状況を、マスター基地局に新規メッセージのリソース確認応答に格納し送信する。マスター基地局は、スレーブ基地局からの新規メッセージのリソース確認応答を受信し、リソース判定処理を実施する。リソース判定処理では、グループコントロール無線基地局の通話基地局に適した無線基地局を選定する。
【発明の効果】
【００１３】
マスター基地局と、スレーブ基地局からなるグループコントロール無線基地局において、移動局から発呼したユーザーに、より良い通話品質を提供できる。
【発明を実施するための最良の形態】
【００１４】
以下、本発明に係る実施の形態について、実施例を用いて図面を参照しながら詳しく説明する
図１は、グループコントロール無線基地局システムを示すブロック図である。図１を参照して、この無線基地局は、マスター基地局(ＭＣＳ：Master Cell Station)１０１と、スレーブ基地局(ＳＣＳ：Slave Cell Station)１０２を備える。マスター基地局１０１とスレーブ基地局１０２との間は、ケーブル１０３で接続されている。これらの基地局１０１、１０２は基地局制御装置（ＣＳＣ：Cell Station Controller）１０４を介して、網側ネットワーク１０５に接続している。マスター基地局１０１と、スレーブ基地局１０２は、概ね共通の無線サービスエリア１１０を備える。
【００１５】
１筺体当り１Ｃ７Ｔフレーム１１１構成のマスター基地局１０１には制御チャネルＣが１スロット割当てられ、残る７スロットの通話チャネルＴを持つ。グループコントロールのため、マスター基地局１０１とケーブル接続されたスレーブ基地局１０２は、制御チャネルをマスター基地局と共有しているため、全て通話チャネルＴとするフレームを持つ８Ｔフレーム１１２構成の基地局とすることができる。マスター基地局１０１とスレーブ基地局１０２は、ＴＤＭＡ／ＴＤＤ方式に従って、時分割処理を行なう。これらの基地局は下りＴｘ：送信用フレーム、上りＲｘ：受信用フレームを有し８対のスロットで構成される。１Ｃ７Ｔフレーム１１１、８Ｔフレーム１１２の各スロットに表記したＣ、ｔ、Ｔの記号は、マスター基地局１０１との無線電波１０８を介し割当てられている移動局(ＰＳ：Personal Station)群１０６、スレーブ基地局１０２との無線電波１０９を介し割当てられている移動局群１０７のそれぞれ制御チャネルとして使用しているスロット（Ｃ）、使用していない通話スロット（ｔ）、使用している通話スロット（Ｔ）を意味する。
【００１６】
スロットは、制御チャネルＣＣＨまたは通話（情報）チャネルＴＣＨが割当てられる。ＣＣＨが割当てられたスロットを制御スロットといい、ＴＣＨが割当てられたスロットを通話スロットという。ＣＣＨを通じてＣＣＨ情報が送信され、ＴＣＨを通じてＴＣＨ情報が送信される。ＣＣＨ情報は、ＴＣＨを起動してＴＣＨを確立するために用いられる。スロット１ないしスロット４のタイミング（スロット５ないしスロット８のタイミング）を絶対スロットと呼ぶ。スロットごとに信号周波数は異なるが、制御チャネルだけは、網側ネットワーク１０５に接続された各基地局で共通な信号周波数である。
【００１７】
なお、マスター基地局１０１とスレーブ基地局１０２とを接続するケーブル１０３は、ケーブル両端の端末処理を変えて、接続された基地局に自身が、マスターなのか、スレーブなのか認識させる。
【００１８】
図２は基地局のハードウェア構成を説明するブロック図である。同一構成の基地局をケーブルで接続する為、マスター基地局と、スレーブ基地局のハードウェア構成は等しい。基地局１０１、１０２は、送信系無線装置２０２、受信系無線装置２０３、図示しないリソース判定情報テーブルを記憶するメモリ２０４１と制御用マイコン２０４２と不揮発性記録部に記録されたプログラム２０４３等から構成される制御装置部２０４、受信レベルを測定する受信レベル測定部２０５１を含む信号制御装置２０５、基地局制御装置とのインターフェースである有線回線制御装置２０６、他の基地局とのグループコントロールを制御するグループコントロール制御装置（ＧＣ制御装置）２０７で構成されている。ＧＣ制御装置では同一構成の筺体である基地局をケーブル１０３で接続することにより、マスター基地局またはスレーブ基地局と認識し、基地局間の情報伝達を実施する。また、送信系無線装置２０２の出力部、受信系無線装置２０３の入力部には、移動局群との通信用のアンテナ２１０が接続される。
【００１９】
受信レベル測定部２０５１は、スロットが未使用のとき、キャリア番号を変えながら、全てのキャリア番号について、受信レベルを測定し、その結果をリソース判定情報テーブルの周波数データテーブルに記載する。ここで、スロットが未使用のときの、受信レベルとは、他の基地局と移動局との通信であり、この基地局にとっては干渉波の受信レベルである。
【００２０】
信号制御装置２０５は、スロットの使用を開始するとき、リソース判定情報テーブルのスロットデータテーブルを更新する。具体的には、使用するスロットのフラグを立て、空きスロット数を１つデクリメントする。同様に、スロットの使用を停止するとき、リソース判定情報テーブルのスロットデータテーブルを更新する。具体的には、使用するスロットのフラグを「０」にし、空きスロット数を１つインクリメントする。
【００２１】
図３を用いて、２台の無線基地局に均等に割り当てが、通信中の品質を維持できることを説明する。ここで、図３は通信中の移動による品質変化を説明する図である。図３は、グループコントロール無線基地局に６台の移動局（ＰＳ）が接続していた場合を示している。図３Ａは、マスター基地局に６台の移動局が割当てられ、スレーブ基地局に１台も移動局が割当てられていない。すなわち、グループコントロールされた２つ基地局の片方に割当が偏った場合である。一方、図３Ｂは、マスター基地局に３台の移動局が割当てられ、スレーブ基地局にも３台も移動局が割当てられている。すなわち、グループコントロールされた２つ基地局に均等に割当てた場合を示す。
【００２２】
図３Ｃを用いて、通話環境変化による無線品質劣化する状況を説明する。ここでは、マスター基地局のスロット４で通話中のチャネル３０１の品質が劣化し、通話チャネル切替を行なう必要がある場合を説明する。移動局ＰＳ１が地点Ａから地点Ｂへ移動する。地点Ｂは、移動局ＰＳ１が割当てられている無線基地局１０１、１０２以外の無線基地局３０１が提供する無線サービスエリアとが重なるエリアである。
【００２３】
移動局ＰＳ７は、無線基地局４０１に割当てられている。この時、移動局ＰＳ７は無線基地局４０１にスロット４でチャネル３０１と近い周波数域の通話チャネルを使用して割当てられている。この場合、地点Ｂへ移動した移動局ＰＳ１は無線基地局４０１の移動局ＰＳ７に対する無線電波の影響を受け、地点Ａでの通話環境に比べ干渉波を受けるので無線品質が劣化してしまう。
【００２４】
通話中のチャネル３０１の品質が劣化すると通話中の品質を維持する為に、現在割当てられている無線基地局の空きスロットに対しチャネル切替を実施する。図３Ａのマスター基地局１０１のスロット４で通話中の移動局ＰＳ１のチャネル３０１を切り替える場合、候補となるスロットは、マスター基地局１０１で未使用スロット（ｔ）で１個のみである。他方、図３Ｂのマスター基地局１０１のスロット４で通話中の移動局ＰＳ１のチャネル３０１を切り替える場合、候補となるスロットは、マスター基地局１０１で未使用スロット（ｔ）で４個ある。
【００２５】
チャネルはタイミング（スロット）と周波数（キャリア番号）との組み合わせであり、キャリア番号の数は多いが、絶対スロットは４つしかないので、スロットの選択肢が多いほうが、品質のよいチャネルを選択することが可能である。したがって、無線品質を維持するためには、図３Ｂのように、移動局をグループコントロールされた２つ基地局に均等に割当てることが、極めて好ましい。
【００２６】
移動通信システムに於いて、移動局または障害物の移動を起因として、初めに割当てたチャネルの品質は刻々と変化していく。通話チャネル切替は、品質が劣化した場合に使用していたチャネルを切り替える必須の機能であり、均等に割り当てを行った方が、通話品質を確保する為に有効となる。
【００２７】
図４を用いて、局間の通信を説明する。ここで、図４は移動局からのリンクチャネル確立要求を受けたマスター基地局とスレーブ基地局との間の通信を説明するシーケンス図である。
図４Ａはマスター基地局１０１に移動局を割当てる際のシーケンス図を示す。マスター基地局１０１は、移動局４０１からのリンクチャネル(link channel:ＬＣＨ)確立要求メッセージを受信する（Ｓ８０１）と、スレーブ基地局１０２に対してリソース確認要求メッセージを送信する（Ｓ８０２）。スレーブ基地局１０２はリソース確認要求メッセージ８０２を受信し、各基地局に格納してあるリソース判定情報テーブル内の、スロットデータ情報（空きスロット、各スロット使用/未使用）と周波数情報（周波数キャリア番号、移動局受信レベル状況）を、マスター基地局１０１にリソース確認応答メッセージに格納し送信する（Ｓ８０３）。
【００２８】
マスター基地局１０１はスレーブ基地局１０２からのリソース確認応答メッセージを受信後、基地局間のリソース判定処理を実施する（Ｓ４０２）。この、リソース判定は、移動局４０１をどちらの基地局に割当てるかの決定である。なお、リソース判定処理の詳細は、図８を用いて後述する。
【００２９】
この場合、マスター基地局１０１に割当てるので、マスター基地局１０１は割当候補となったチャネルに実際に呼を割当てられるかを判定する（Ｓ４０３）。この場合、割当可能なので、マスター基地局１０１は移動局４０１と通信するため、移動局４０１にリンクチャネル(ＬＣＨ)割当メッセージを送信する（Ｓ８０６）。ステップ４０３で、割当不可時(ＮＧ)は、割当拒否し、呼を切断する。なお、この場合、図４Ｂで説明するスレーブ基地局１０２に割当てる処理を行っても良い。
【００３０】
図４Ｂはスレーブ基地局１０２に移動局を割当てる際のシーケンス図を示す。リソース判定のステップ４０２までのシーケンスはマスター基地局１０１に割当てる場合と同じである。
【００３１】
リソース判定の結果、スレーブ基地局１０２に割当てる場合、マスター基地局１０１はスレーブ基地局１０２に対して、リンクチャネル割当要求メッセージを送信する（Ｓ８０４）。スレーブ基地局１０２は、リンクチャネル割当要求メッセージを受信し、割当候補となったチャネルに実際に呼を割当てられるかを判定する（Ｓ４０４）。この場合、割当可能(ＯＫ)なので、スレーブ基地局１０２はマスター基地局１０１にリンクチャネル割当応答メッセージを送信し（Ｓ８０５）、マスター基地局１０１は、移動局４０１と通信するため、移動局４０１にリンクチャネル割当メッセージを送信する（Ｓ８０６）。ステップ４０４で割当不可時(ＮＧ)は、割当拒否し、呼を切断する。なお、この場合、呼を切断せず、スレーブ基地局１０２はマスター基地局１０１にリンクチャネル割当拒否応答メッセージを送信し、マスター基地局１０１で割当てを試みても良い。
【００３２】
図５はリソース判定情報テーブルを説明する図である。リソース判定情報テーブルは、さらにスロットデータテーブルと周波数データテーブルで構成される。ここで、図５（ａ）はスロットデータテーブルを説明する図である。また、図５（ｂ）は周波数データテーブルを説明する図である。
図５（ａ）において、スロットデータテーブルは、基地局内の空きスロット数とスロット１ないしスロット８が使用中か未使用中かを示すスロット使用／未使用フラグＯＮ／ＯＦＦを格納する。
【００３３】
図５（ｂ）において、周波数データテーブルは、周波数キャリア番号と受信レベル（干渉波レベル）を順々に格納するテーブルである。周波数データテーブルは、スロット数分（この場合８面）のテーブルである。
【００３４】
具体的なスロットデータテーブルと、周波数データテーブルを図６および図７を用いて説明する。ここで、図６はマスター基地局とスレーブ基地局のスロットデータテーブルを説明する図である。また、図７はマスター基地局の周波数データテーブル（スロット５）を説明する図である。
【００３５】
図６は図３Ｂの移動局の割当の際の基地局のスロットデータテーブルである。図６において、スロットラベルでデータ「１」は使用中（ＯＮ）であることを示し、データ「０」は非使用中（空き/ＯＦＦ）であることを示す。図６（ａ）はマスター基地局のスロットデータテーブルである。また、図６（ｂ）はスレーブ基地局のスロットデータテーブルである。図６（ａ）において、スロット１は制御スロット、スロット２〜４は通話スロットとして使用されているので、空きスロット数は４である。同様に、図６（ｂ）において、スロット１〜２、スロット４は通話スロットとして使用されているので、空きスロット数は５である。
【００３６】
図７は周波数に対応するキャリア番号と、そのキャリア番号の周波数での受信レベルとの組である。図７は代表的な受信レベルしか記載していないが、キャリア番号１から８３の中で、もっとも受信レベルが低い、すなわち干渉信号レベルが最も低いキャリア番号３が、スロット５での採用候補となる。
【００３７】
図８を用いて、移動局４０１からＬＣＨ確立要求を受けたマスター基地局１０１が実施するリソース判定処理を説明する。ここで、図８はリソース判定処理を説明するフローチャートである。このフローチャートは、グループコントロール無線基地局がソフトウェア的に実行する通話基地局選定動作手順である。無線基地局は、これらプログラムを外部からインストールすることができる。また、フローチャートを実行するプログラムは。メモリから読み出して実行する。
【００３８】
図８において、マスター基地局１０１は新規メッセージのリソース確認応答を受信し、リソース判定処理４０２を開始する。まず、リソース判定処理ではマスター基地局の最適チャネルを選択する選択処理を実施する（Ｓ６０２）。なお、最適チャネル選択処理については、図１０を用いて後述する。同様にスレーブ基地局の最適チャネル選択処理を実施する（Ｓ６０３）。ステップ６０３の処理内容はマスター基地局の場合と同じくスレーブ基地局の最適チャネルを選択して処理を完了とする。なお、正確にはステップ６０３はスレーブ基地局の動作であり、図４に示したようにマスター基地局は、スレーブ基地局にリソース確認要求を送信し、リソース確認応答を受信する。
【００３９】
上記の処理にて、マスターおよびスレーブ基地局の最適データを取得した後、マスター基地局１０１と、スレーブ基地局１０２からなるグループコントロール無線基地局内にて、空いているスロットの中から干渉波の低い最適絶対スロットの決定を実施する（Ｓ６０４）。決定した最適絶対スロットは、マスター基地局１０１と、スレーブ基地局１０２の両方で空きスロット状態となっている場合と、片方の無線基地局のみ空きスロットとなっている場合がある。マスター基地局のみ空きスロットとなっている場合は、マスター基地局を通話基地局とする（Ｓ６０７）。スレーブ基地局のみ空きスロットとなっている場合は、スレーブ基地を通話基地局とする（Ｓ６０８）。
【００４０】
両無線基地局にて空きスロット状態となっている場合は、スロットデータテーブル内の空きスロット数から各基地局残り空きスロット数の比較する（Ｓ６０６）。マスター基地局の空きスロット数≧スレーブ基地局の空きスロット数の場合は、通話基地局をマスター基地局と決定する（Ｓ６０７）この条件を満たさない場合は通話基地局をスレーブ基地局と決定する（Ｓ６０８）。なお、図８で説明したとおり、割当時に呼が最適状態になるよりも、両無線基地局でほぼ等しい移動局の割当として、一定の通話品質を確保・維持することができる。また、絶対スロットを用いているのは、スロット１の特定キャリアの通話品質が良ければ、絶対スロット１の他のスロットであるスロット５の通話品質も良好であるからである。
【００４１】
図９および図１０を参照して、基地局が実施する最適チャネル選択処理を説明する。ここで、図９はスロット内最適キャリア番号テーブルを説明する図である。図１０は最適チャネル選択処理を説明するフローチャートである。図９は図１０を説明する補助図面である。図１０は、マスター基地局およびスレーブ基地局が、図８のステップ６０２またはステップ６０３で実施する最適チャネル選択処理を詳しく説明する図である。
【００４２】
図９（ａ）は図６（ａ）のスロットデータテーブルを有するマスター基地局の周波数データテーブルから空きスロットのそれぞれにおいて、最も受信レベルの小さいキャリア番号と受信レベルを纏めた表である。図７で説明したようにスロット５の最適キャリア番号は、３ｃｈ受信レベルは８ｄＢμＶである。同様に、スロット６では３ｃｈの７ｄＢμＶ、スロット７では７ｃｈの５ｄＢμＶ、スロット８では２５ｃｈの８ｄＢμＶである。このテーブルから最適チャネルはスロット７の７ｃｈと分かる。図９（ｂ）は図１０をマスター基地局に適用した場合の、最終的な最適チャネルとそのときの受信レベルを説明する図である。図９（ｂ）については、図１０の中で説明する。図９（ｂ）の最適チャネル検出アルゴリズムについて図１０を用いて説明する。
【００４３】
図１０において、基地局が最適チャネル選択処理を開始すると、まず、判定用の受信レベルｆｍに初期値を設定する（Ｓ７０２）。次に、基地局のスロットデータテーブルのスロット番号１が空き（ＯＦＦ）かのチェックを実施する（Ｓ７０３）。Ｙｅｓの場合、周波数データテーブルのキャリア番号１の受信レベルがｆｍより小さいか判定する（Ｓ７０５）。なお、ステップ７０３でＮｏの場合、ステップ７１０に遷移する。ステップ７０３で、Ｙｅｓの場合、ｆｍの値を受信レベルとする（Ｓ７０６）。
【００４４】
ステップ７０５で、Ｙｅｓの場合、受信レベルｆｍの値を受信レベルに置き換える（Ｓ７０６）。最適チャネルのスロット番号とキャリア番号の値を、受信レベルを得たスロット番号とキャリア番号に置き換える（Ｓ７０７）。次に、キャリア番号をインクリメントする（Ｓ７０８）。ステップ７０５で、Ｎｏの場合、ステップ７０８へ遷移する。ステップ７０８の後、キャリア番号を全て検索したか判断し（Ｓ７０９）、Ｎｏならステップ７０５に戻る。ステップ７０９で、Ｙｅｓならば、スロット番号をインクリメントし（Ｓ７１０）、各スロットの検索が終了したか判断する（Ｓ７１１）。Ｎｏならばステップ７０３に戻り、Ｙｅｓならば処理を終了する。
【００４５】
図１０をさらに具体的に説明しよう。ここでは、図６（ａ）に示すマスター基地局のスロットデータと、図７に示すマスター基地局の周波数データテーブルから求めた図９（ａ）のスロット内最適受信レベルを前提とする。図６（ａ）でスロット１からスロット４は使用中なので、図１０のステップ７０３はいずれもＮｏと判定され、ステップ７１０、ステップ７１１、ステップ７０３と遷移する。スロット５で初めて、ステップ７０３がＹｅｓとなる。ステップ７０５からステップ７０９を繰り返し、最適チャネルには一旦、受信レベル：８ｄＢμＶ、スロット番号：５、キャリア番号：３ｃｈが入る。この後、スロット６からスロット８はいずれも空きスロットなので、ステップ７０３からステップ７１１をさらに繰り返す。この結果、最適チャネルの最終値は、図９（ｂ）となる。
【００４６】
本実施例に拠れば、マスター基地局と、スレーブ基地局からなるグループコントロール無線基地局において、移動局から発呼したユーザーに、２台の無線基地局の負荷が概ね均等となるように割当てることにより、より良い通話品質を提供できるグループコントロール無線基地局と、そのチャネル割当方法を得ることができた。
【図面の簡単な説明】
【００４７】
【図１】グループコントロール無線基地局システムを示すブロック図である。
【図２】基地局のハードウェア構成を説明するブロック図である。
【図３Ａ】通信中の移動による品質変化を説明する図である。
【図３Ｂ】通信中の移動による品質変化を説明する図である。
【図３Ｃ】通信中の移動による品質変化を説明する図である。
【図４Ａ】移動局からのリンクチャネル確立要求を受けたマスター基地局とスレーブ基地局との間の通信を説明するシーケンス図である。
【図４Ｂ】移動局からのリンクチャネル確立要求を受けたマスター基地局とスレーブ基地局との間の通信を説明するシーケンス図である。
【図５】リソース判定情報テーブルを説明する図である。
【図６】移動局の割当の際の基地局のスロットデータテーブルである。
【図７】周波数に対応するキャリア番号と、そのキャリア番号の周波数での受信レベルとの組である。
【図８】リソース判定処理を説明するフローチャートである。
【図９】スロット内最適キャリア番号テーブルを説明する図である。
【図１０】最適チャネル選択処理を説明するフローチャートである。
【符号の説明】
【００４８】
１０１…マスター基地局、１０２…スレーブ基地局、１０３…ケーブル、１０４…基地局制御装置、１０５…網側ネットワーク、１０６…移動局群、１０７…移動局群、２０２…送信系無線装置、２０３…受信系無線装置、２０４…制御装置部、２０５…信号制御装置、２０６…有線回線制御装置、２０７…グループコントロール制御装置、２０８…アンテナ、３０１…チャネル、４０１…基地局、ＰＳ１…移動局、ＰＳ７…移動局。
【図１】
2007020026.tif 000003
【図２】
2007020026.tif 000004
【図３Ａ】
2007020026.tif 000005
【図３Ｂ】
2007020026.tif 000006
【図３Ｃ】
2007020026.tif 000007
【図４Ａ】
2007020026.tif 000008
【図４Ｂ】
2007020026.tif 000009
【図５】
2007020026.tif 000010
【図６】
2007020026.tif 000011
【図７】
2007020026.tif 000012
【図８】
2007020026.tif 000013
【図９】
2007020026.tif 000014
【図１０】
2007020026.tif 000015